(57)【要約】  物品の展示及び保管用の不正開封明示機構付き容器１０は、閉鎖端２６及び開放端２８を有する細長いパウチ１６を有する。前記パウチの前記開放端に接続されているカラー１８、２０と、前記開放端２８を閉鎖するように前記カラー１８、２０に枢動接続されている蓋２２とがある。蓋２２は、前記カラーの部分に延出して設けられているフランジ４０を有する。ストラップ２４は、所定位置にある間は前記蓋２２が開放されることを防止するように前記カラー１８、２０及び前記フランジ４０の周りに延びている。【選択図】図２
2013540656.tif 000002
【特許請求の範囲】
【請求項１】
物品の展示及び保管用の不正開封明示機構付き容器であって、
（ａ）閉鎖端及び開放端を有する細長いパウチと、
（ｂ）前記パウチの前記開放端に接続されているカラーと、
（ｃ）前記開放端を閉鎖するように前記カラーに枢動接続されている蓋であって、前記カラーの部分に延出して設けられているフランジを有する蓋と、
（ｄ）ストラップであって、該ストラップが所定位置にある間は前記蓋が開放されることを防止するように前記カラー及び前記フランジの周りに延設されているストラップと、
を備える物品の展示及び保管用の不正開封明示機構付き容器。
【請求項２】
前記カラーは、前記パウチの前記開放端の内部に接続されている内側カラーと、前記内側カラーの周りで前記パウチの前記開放端の外部に接続されている外側カラーと、
を含む請求項１に記載の不正開封明示機構付き容器。
【請求項３】
前記蓋は前記内側カラーに枢動接続されている請求項２に記載の不正開封明示機構付き容器。
【請求項４】
前記ストラップは前記外側カラーの周りに延設されている請求項３に記載の不正開封明示機構付き容器。
【請求項５】
前記フランジは前記ストラップを受け入れるチャネルを有しており、そのため前記ストラップは前記容器から下方に引っ張られて脱落することはない請求項４に記載の不正開封明示機構付き容器。
【請求項６】
前記内側カラー及び前記外側カラーは、前記細長いパウチ内の１つ又は複数の開口部を通じて嵌合可能に接続されるように構成されている請求項５に記載の不正開封明示機構付き容器。
【請求項７】
前記ストラップはバックルによって両端が連結されている請求項６に記載の不正開封明示機構付き容器。
【請求項８】
保証カードが前記容器の前記ストラップに取り付けられている請求項７に記載の不正開封明示機構付き容器。
【請求項９】
前記保証カードはハンガー開口部を有する請求項８に記載の不正開封明示機構付き容器。
【発明の詳細な説明】
【技術分野】
【０００１】
本発明は、容器に関し、より詳細には物品の展示又は保管用の不正開封明示機構付き容器に関する。
【背景技術】
【０００２】
ヘアピン及びポニーテール用のゴムバンド等のヘアケア物品は、小型の透明なプラスチック容器に詰められて販売されていることが多い。従来技術の容器の１つの形態は、一方の端が閉鎖しており他方の端が開放している細長いパウチと、パウチの開放端の内部に接続されている内側カラーと、内側カラーの周りでパウチの開放端の外部に接続されている外側カラーと、物品を容器内に封止するように内側カラーに枢動接続されている蓋とを含む。このパウチは、容器内に保管されている物品を見込み購買者に向けて展示するために、一枚の透明プラスチックシートから作られることが多い。そのような形態の従来技術の容器は、鍵、宝石類、硬貨、メモリースティック、カメラ用のデジタル記憶装置、文房具、ナット、ワッシャー、及びボルトを含むがこれらに限定されない、ヘアケア物品以外の様々な物品を保管するのに用いることもできる。
【０００３】
この形態の従来技術の容器は容易に開閉されて、購入者が内部に保管されている物品にアクセスするのを可能にすることができる。しかしながら、一般的な問題は、万引き犯が物品の容器全体を購入することなく、そのような容器を開封してその容器の中から１つ又は複数の物品を盗む場合が多いということである。そのような容器内に２０個以上の物品が保管されている場合が多いことから、その容器から１つ又は２つの物品が欠如していることにその容器の見込み購買者は容易には気付かない。
【０００４】
この問題に対する一般的な解決策は、容器の開口の周りに透明プラスチックのシュリンクラップを配置することである。しかしながら、シュリンクラップは手で容易に取り外され、そのため万引き犯が容器の中から１つ又は複数の物品を盗み続けることができることが分かっている。シュリンクラップが透明であるために、従来技術の容器が不正開封されて物品がその容器から取り去られていることは、そのような従来技術の容器の購入者にとって明白ではないことが多い。
【発明の概要】
【発明が解決しようとする課題】
【０００５】
本発明の目的は、従来技術の容器の上述の問題を克服するか若しくは実質的に改善するか、又は有用な代替案を少なくとも提供することである。
【課題を解決するための手段】
【０００６】
本発明によれば、物品の展示及び保管用の不正開封明示機構付き容器であって、
（ａ）閉鎖端及び開放端を有する細長いパウチと、
（ｂ）前記パウチの前記開放端に接続されているカラーと、
（ｃ）前記開放端を閉鎖するように前記カラーに枢動接続されている蓋であって、前記カラーの部分に延出して設けられているフランジを有する蓋と、
（ｄ）ストラップであって、該ストラップが所定位置にある間は前記蓋が開放されることを防止するように前記カラー及び前記フランジの周りに延設されているストラップと、
を備える物品の展示及び保管用の不正開封明示機構付き容器が提供される。
【０００７】
本発明の好ましい形態では、前記カラーは、前記パウチの前記開放端の内部に接続されている内側カラーと、前記内側カラーの周りで前記パウチの前記開放端の外部に接続されている外側カラーと、を含む。
【０００８】
より好ましくは、前記蓋は前記内側カラーに枢動接続されている。
【０００９】
また、前記ストラップは前記外側カラーの周りに延設されていることが好ましい。
【００１０】
前記フランジは前記ストラップを受け入れるチャネルを有しており、そのため前記ストラップは前記容器から下方に引っ張られて脱落することはないことが好ましい。
【００１１】
また、前記内側カラー及び前記外側カラーは、細前記長いパウチ内の１つ又は複数の開口部を通じて嵌合可能に接続されるように構成されていることが好ましい。
【００１２】
好ましくは、前記ストラップはバックルによって両端が連結されている。
【００１３】
より好ましくは、ストラップは、工具を用いることなく手で取り外されるようには構成されていない。
【００１４】
本発明の好ましい実施の形態では、保証カードが容器のストラップに取り付けられており、その構成は、ストラップが取り外されると、保証カードはもはや容器に取り付けられていない構成であり、これは不正開封の証拠としての機能を果たす。
【００１５】
好ましくは、保証カードには、容器内に保管されている製品についての小売情報が印刷され得る。
【００１６】
また、前記保証カードはハンガー開口部を有することが好ましい。
【００１７】
本発明をより容易に理解して実施することができるようにするために、ここで添付の図面が参照される。
【図面の簡単な説明】
【００１８】
【図１】販売目的で取り付けられている保証カードを有する本発明の好ましい実施形態による不正開封明示機構付き容器の正面斜視図である。
【図２】図１に示される容器の分解図である。
【図３】図１に示される容器の蓋の斜視図である。
【図４】図１に示される容器の内側カラーの斜視図である。
【図５】図１の容器及び取り付けられている保証カードの底部の正面斜視拡大図である。
【図６】図１の容器及び取り付けられている保証カードの後面斜視図である。
【図７】図１の容器及び取り付けられている保証カードの底部の後面斜視拡大図である。
【図８】蓋が開放している状態の、図１に示される容器の底部の斜視図である。
【図９】代替的な保証カード構成を有する本発明の別の好ましい実施形態による不正開封明示機構付き容器の正面図である。
【図１０】別の代替的な保証カード構成を有する図９に示される容器と同様の容器の正面図である。
【発明を実施するための形態】
【００１９】
図１は、本発明の好ましい実施形態による不正開封明示機構付き容器１０を示す。保証カード１２が容器１０に取り付けられている。保証カード１２は、容器１０内に保管されている製品（図示されない）に関する小売情報を表示するのに用いられる。保証カード１２は、容器１０がフックから吊るされ又は棚（図示されない）内に吊るされることを可能にするためにハンガー開口部１４を有することができる。
【００２０】
図２は容器１０の構成要素の分解図を示す。容器１０は、細長いパウチ１６と、内側カラー１８と、外側カラー２０と、蓋２２と、ストラップ２４とを有する。細長いパウチ１６は、閉鎖端２６と開放端２８とを有する。細長いパウチ１６は、長手方向の熱溶接部（図示されない）によって形成されている０．５ｍｍ厚のポリ塩化ビニル（ＰＶＣ）プラスチックシート材料から作製され、次いで熱溶接によって閉鎖端２６が平坦に封止されることができる。高周波溶接又は他の好適なプロセスを用いることもできる。シート材料は、容器１０内に保管されている物品を見込み購買者に対して展示するために一般的に透明であるが、審美的アピールのためにシート材料の上にパターンを設けることもできる。
【００２１】
パウチ１６の開放端２８に向かって複数の開口部３０が存在する。６つの開口部３０が図に示されているが、本発明によれば任意の数の開口部３０を設けることができる。内側カラー１８も、パウチ１６の開口部３０の位置に対応する開口部３２を有する。内側カラー１８の細長段部３４が、パウチ１６への内側カラー１８の差し込みを制限し、パウチ１６の開口部３０を内側カラー１８の開口部３２と垂直方向に位置合わせする。開口部３０及び３２に外側カラー２０の突部３６が貫入し、この突部は内側カラー１８の開口部３２と嵌合する。内側カラー１８は、パウチ１６の開放端２８の内部に接続され、外側カラー２０は、内側カラー１８の周りでパウチ１６の外部に接続される。
【００２２】
蓋２２は、外側カラー２０上に延びるフランジ４０を有する（図５を参照のこと）。ストラップ２４は、フランジ４０を外側カラー２０に結び付けるように外側カラー２０と蓋２２のフランジ４０との双方の周りに延びる（図５を参照のこと）。フランジ４０はストラップ２４用のチャネル４２を有することができ、そのためストラップ２４が容器１０から下方に引っ張られて脱落することはない（図３及び図５を参照のこと）。
【００２３】
蓋２２は、内側カラー１８の縁部４６に係合する結節部４４を有する。蓋２２は、内側カラー１８に対して枢動することが可能になるように（図８を参照のこと）、内側カラー１８にある対応するヒンジ構成要素５４、５６及び５８（図４を参照のこと）に（それぞれ）係合するヒンジ構成要素４８、５０及び５２を有する。
【００２４】
ストラップ２４は、図６及び図７に示されるバックル６０によって両端が連結されている。ストラップ２４はまた、保証カード１２を容器１０に固定する。ストラップ２４は硬い形態のプラスチックから作られており、したがって切断具（図示されない）によって取り外されるように構成されている。ストラップ２４を取り外すのに要する力は、万引き犯が容器１０を開封して内部に収容されている物品を盗むことをやめさせるのに十分である。通常、保証カード１２にはセキュリティタグ（図示されない）が取り付けられている。このセキュリティタグは、万引き犯が容器１０を店から盗もうとすると警報を作動させるように構成されている。
【００２５】
図９及び図１０に示される保証カードを有する容器は、代替的な構成を表す。図１〜図８の容器と図９及び図１０の容器との間で同様の機能部は、同様の符号によって特定される。他の構成は保証カードを含まない場合もあるし、様々な構成の、保証カードに対する代替的な機構を含む場合もある。
【００２６】
本発明の範囲から逸脱することなく上述の不正開封明示機構付き容器の設計及び構造の細部において種々の変更を行うことができることが当業者には容易に明らかであろう。
【図１】
2013540656.tif 000003
【図２】
2013540656.tif 000004
【図３】
2013540656.tif 000005
【図４】
2013540656.tif 000006
【図５】
2013540656.tif 000007
【図６】
2013540656.tif 000008
【図７】
2013540656.tif 000009
【図８】
2013540656.tif 000010
【図９】
2013540656.tif 000011
【図１０】
2013540656.tif 000012
【国際調査報告】
2013540656.tif 000013
2013540656.tif 000014
2013540656.tif 000015